(57)【要約】【課題】離れた場所にいる者に刻々と変化する現在の状況を容易に伝えること。【解決手段】ＩＣタグ３ａ、３ｂと、予め設定されるメールアドレスとを関連づけて記憶するデータサーバと、スマートデバイス２にて非常用モードにおいて入力されるメッセージおよびスマートデバイス２の位置情報が記憶され、スマートデバイス２が読み取ったＩＣタグ３ａ、３ｂにメッセージおよび位置情報が関連づけられたデータの入力を受け付ける受信サーバと、データサーバを参照し、受け付けたデータに関連づけられたＩＣタグ３ａ、３ｂに一致するＩＣタグ３ａ、３ｂに関連づけられたメールアドレス宛に、メッセージもしくはメッセージおよび位置情報を送信するメールサーバとを備える。【選択図】図１
2019101729.tif 000002
【特許請求の範囲】
【請求項１】
ＩＣタグと、予め設定される連絡先情報とを関連づけて記憶する記憶部と、
携帯端末装置にて送信状況に応じて入力されるメッセージおよび前記携帯端末装置の位置情報が記憶され、前記携帯端末装置が読み取ったＩＣタグに前記メッセージおよび位置情報が関連づけられたデータの入力を受け付ける受付部と、
前記記憶部を参照し、受け付けた前記データに関連づけられたＩＣタグに一致するＩＣタグに関連づけられた連絡先情報宛に、前記メッセージを送信する送信部と、
を有することを特徴とするデータ送受信装置。
【請求項２】
前記携帯端末装置は、前記ＩＣタグ保持者のステータスと、前記ステータスに応じて予め用意された定型文とが関連づけられて記憶されており、前記定型文を含むデータを送信する第１のモードと、前記メッセージを含むデータを送信する第２のモードを備える請求項１または２に記載のデータ送受信装置。
【請求項３】
前記第２のモードにおいて、現在のモードと前記メッセージとが前記携帯端末装置のＩＣタグの読み取り画面に表示される請求項２に記載のデータ送受信装置。
【請求項４】
前記第２のモードにおいて、前記データの送信に応じて前記連絡先情報とは別個に前記第２のモード用に設定された連絡先情報宛に前記メッセージを送信する請求項２または３に記載の送受信装置。
【請求項５】
ＩＣタグと、予め設定される連絡先情報とを関連づけて記憶する記憶部を備えるコンピュータが、
携帯端末装置にて送信状況に応じて入力されるメッセージおよび前記携帯端末装置の位置情報が記憶され、前記携帯端末装置が読み取ったＩＣタグに前記メッセージおよび位置情報が関連づけられたデータの入力を受け付け、
前記記憶部を参照し、受け付けた前記データに関連づけられたＩＣタグに一致するＩＣタグに関連づけられた連絡先情報宛に、前記メッセージを送信する、
ことを特徴とするデータ送受信方法。
【請求項６】
ＩＣタグと、予め設定される連絡先情報とを関連づけて記憶する記憶部を備えるコンピュータに、
携帯端末装置にて送信状況に応じて入力されるメッセージおよび前記携帯端末装置の位置情報が記憶され、前記携帯端末装置が読み取ったＩＣタグに前記メッセージおよび位置情報が関連づけられたデータの入力を受け付け、
前記記憶部を参照し、受け付けた前記データに関連づけられたＩＣタグに一致するＩＣタグに関連づけられた連絡先情報宛に、前記メッセージを送信する、
処理を実行させることを特徴とするプログラム。
【発明の詳細な説明】
【技術分野】
【０００１】
本発明はデータ送受信装置、データ送受信方法およびプログラムに関する。
【背景技術】
【０００２】
ＩＣカードやＲＦＩＤタグ等のＩＤ識別媒体を認証する際に、持ち運びができる端末装置が知られている。
【０００３】
例えば、派遣社員又は派遣スタッフの派遣を依頼した派遣先（要介護者宅）が、カードＩＤと識別コードを備えたＩＣカードを所持し、派遣社員又は派遣スタッフは、打刻処理アプリケーションソフトが実装された携帯電話機を所持して、上記ＩＣカードの読取りによって携帯電話機が打刻した勤怠データを、利害関係の無い第三者のデータセンタが受信・管理する技術が知られている。
【先行技術文献】
【特許文献】
【０００４】
【特許文献１】特開２００８−３１０４７４号公報
【発明の概要】
【発明が解決しようとする課題】
【０００５】
携帯端末を用いて災害時等に関係者に現在の状況を報告できれば便宜である。
災害時以外においても現在の状況を報告する他のシステムにも同様の問題がある。
１つの側面では、本発明は、離れた場所にいる者に刻々と変化する現在の状況を容易に伝えることを目的とする。
【課題を解決するための手段】
【０００６】
上記目的を達成するために、開示のデータ送受信装置が提供される。このデータ送受信装置は、ＩＣタグと、予め設定される連絡先情報とを関連づけて記憶する記憶部と、
【０００７】
携帯端末装置にて送信状況に応じて入力されるメッセージおよび携帯端末装置の位置情報が記憶され、携帯端末装置が読み取ったＩＣタグにメッセージおよび位置情報が関連づけられたデータの入力を受け付ける受付部と、記憶部を参照し、受け付けたデータに関連づけられたＩＣタグに一致するＩＣタグに関連づけられた連絡先情報宛に、メッセージおよび位置情報を送信する送信部と、を有している。
【発明の効果】
【０００８】
１態様では、離れた場所にいる者に刻々と変化する現在の状況を容易に伝えることができる。
【図面の簡単な説明】
【０００９】
【図１】第１の実施の形態の通信システムを示す図である。
【図２】実施の形態のデータセンタの機能を示すブロック図である。
【図３】データサーバに記憶される情報の一例を説明する図である。
【図４】実施の形態の受信サーバのハードウェア構成を示す図である。
【図５】実施の形態のスマートデバイスのハードウェア構成を示す図である。
【図６】実施の形態のスマートデバイスの機能を示すブロック図である。
【図７】データ処理部の機能を示すブロック図である。
【図８】設定情報記憶部に記憶されている情報を説明する図である。
【図９】アプリケーションの画面例を説明する図である。
【図１０】非常用画面を説明する図である。
【図１１】第２の実施の形態の通信システムを示す図である。
【発明を実施するための形態】
【００１０】
以下、実施の形態の通信システムを、図面を参照して詳細に説明する。
＜第１の実施の形態＞
図１は、第１の実施の形態の通信システムを示す図である。
実施の形態の通信システム１００は、災害時等にもＩＣタグを用いて遠隔地にいるサービス利用者に保護対象の状況を知らせることを目的の１つとしている。
通信システム１００は、ネットワーク５０を介してスマートデバイス２がデータセンタ１に接続されている。
【００１１】
スマートデバイス２は携帯できるＩＣタグ認証装置およびデータ自動通信装置の一例である。携帯できるＩＣ認証装置およびデータ自動通信装置としては、スマートデバイス２以外にもタブレット端末や専用ハードウェア装置等が挙げられる。以下の例では、通知者として保育士がスマートデバイス２を携帯しているものとする。
【００１２】
図１には、保護対象が携帯する情報メディアの一例としてＩＣタグ３ａ、３ｂが図示されている。以下の例では、園児（保護対象）の名札にＩＣタグ３ａ、３ｂが内蔵されているものとする。
情報メディアの形状としては、タグ以外にもシール状のものや、カード状のものが挙げられる。また、保護対象としては、人間に限らず、物品であってもよい。
保育士が通信システム１００を利用する際には、スマートデバイス２に予め記憶（インストール）されているアプリケーションを起動する。
アプリケーションを起動した後に、保育士は、スマートデバイス２をＩＣタグ３ａに近づける。
【００１３】
本実施の形態では、スマートデバイス２がＩＣタグ３ａを正常に読み取ったときや、正常に読み取れなかったときには、それぞれ別個の音声にて保育士にその旨を通知する。
正常に読み取った後に、保育士は、スマートデバイス２をＩＣタグ３ｂに近づける。
このように、保育士は、スマートデバイス２を用いて園児の名札に内蔵されたＩＣタグ３ａ、３ｂを次々に読み込んでいく。
【００１４】
データセンタ１は、複数のサーバを有している。このデータセンタ１が備える１つのサーバには、ＩＣタグ３ａ、３ｂに関する利用者情報が予め関連づけられて登録されている。この利用者情報には、園児の名前、保護者（サービス利用者）の名前、ＩＣタグ３ａ、３ｂの識別情報、保護者の連絡先情報（メールアドレス等）が含まれる。
【００１５】
データセンタ１は、利用者情報を参照することで、保護者の連絡先情報を特定し、予め用意されたお知らせ（例えば「今から送迎バスに乗ります」等）をモバイル回線のネットワーク６０を介してＥメールで保護者の所有する携帯端末装置４ａ、４ｂ、４ｃに送信する。
【００１６】
この通信システム１００では、大規模災害が発生したときに停電が起こったり、電話回線がパンクしたりしたときにも、園児や園の状況をＥメールにて保護者に通知する機能を有している。具体的には、スマートデバイス２は、ＩＣタグ３ａ、３ｂのステータス（登園、外出等）と、これらのステータスに応じて予め用意された定型文とが関連づけられて記憶されている。スマートデバイス２は、定型文を含む通知用データを送信する第１のモードと、保育士により任意に入力されたメッセージ（以下、「任意入力メッセージ」という）を含む通知用データを送信する第２のモードを備えている。
以下の説明では、第１のモードを「通常モード」といい、第２のモードを「非常用モード」という。
【００１７】
非常用モードにおいては、スマートデバイス２は、スマートデバイス２の現在位置を取得する。そして、スマートデバイス２が読み取ったＩＣタグ３ａ、３ｂに任意入力メッセージおよび位置情報を関連づけた通知用データを作成し、データセンタ１に送信する。
【００１８】
この通知用データの入力を受け付けたデータセンタ１は、利用者情報を参照し、受け付けた通知用データに関連づけられたＩＣタグ３ａ、３ｂに一致するＩＣタグに設定されたメールアドレス宛に、任意入力メッセージおよび位置情報を送信する。なお、位置情報の送信は任意である。これにより、非常時の混乱の中でも利用できるよう、その場にいる園児のＩＣタグ３ａ、３ｂを読み取れば、自動で登録先の保護者にＥメールの送信を行うことができる。
以下、開示の通信システムをより具体的に説明する。
図２は、実施の形態のデータセンタの機能を示すブロック図である。
データセンタ１には、受信サーバ１ａ、データサーバ１ｂ、データ処理サーバ１ｃ、メールサーバ１ｄ、およびＷｅｂサーバ１ｅが設置されている。
受信サーバ１ａは、スマートデバイス２が発信した通知用データを、ネットワーク５０を介して受信する。
データサーバ１ｂには、サービス利用者が予め登録した情報が記憶されている。
図３は、データサーバに記憶される情報の一例を説明する図である。
【００１９】
データ管理テーブルＴ１には、タグＩＤ、メールアドレスおよびサービス利用者名の欄が設けられている。横方向に関連づけられた情報同士が互いに関連づけられている。
タグＩＤの欄には、保護対象のＩＣタグのタグＩＤが設定されている。
メールアドレスの欄には、サービス利用者が予め登録したメールアドレスが設定されている。
サービス利用者名の欄には、サービス利用者の氏名が設定されている。
なお、図示していないが、ＩＣタグを身につけている園児の氏名が設定されるようにしてもよい。
再び図２に戻って説明する。
【００２０】
データ処理サーバ１ｃは、データサーバ１ｂを参照し、受信サーバ１ａが受信した通知用データの宛先を特定する。また、データ処理サーバ１ｃは、メールサーバ１ｄに受信内容の送信を指示する。さらに、データ処理サーバ１ｃは、Ｗｅｂサーバ１ｅに受信内容の表示コンテンツを記載したＵＲＬを送る。
【００２１】
メールサーバ１ｄは、データ処理サーバ１ｃが特定した宛先に第１のモードでは定型文を、第２のモードではメッセージを含むＥメールを送信する。このＥメールには、後述するＵＲＬを含んでいてもよい。
【００２２】
Ｗｅｂサーバ１ｅは、管理者のアクセス用端末から前述したＵＲＬのアクセス要求を受け付けると、管理者のアクセス用端末の画面に、ＩＣタグ毎の電子データや登録情報やステータスを表示させる。また、Ｗｅｂサーバ１ｅは、例えばステータス毎に園児の氏名を並べた情報をソートして集計データを作成することもできる。
【００２３】
なお、本実施の形態では、データセンタ１が備える機能を各サーバに分けて説明したが、これらの機能を１つのサーバが備えていてもよいし、１つのサーバがいくつかの機能をまとめて備えていてもよい。
【００２４】
以下、受信サーバ１ａのハードウェア構成を示す。データサーバ１ｂ、データ処理サーバ１ｃ、メールサーバ１ｄおよびＷｅｂサーバ１ｅ等、他のコンピュータも受信サーバ１ａと同様のハードウェア構成で実現できる。
図４は、実施の形態の受信サーバのハードウェア構成を示す図である。
【００２５】
受信サーバ１ａは、ＣＰＵ（Central Processing Unit）１０１によって装置全体が制御されている。ＣＰＵ１０１には、バス１０８を介してＲＡＭ（Random Access Memory）１０２と複数の周辺機器が接続されている。
【００２６】
ＲＡＭ１０２は、受信サーバ１ａの主記憶装置として使用される。ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に使用する各種データが格納される。
【００２７】
バス１０８には、ハードディスクドライブ（ＨＤＤ:Hard Disk Drive）１０３、グラフィック処理装置１０４、入力インタフェース１０５、ドライブ装置１０６、および通信インタフェース１０７が接続されている。
【００２８】
ハードディスクドライブ１０３は、内蔵したディスクに対して、磁気的にデータの書き込みおよび読み出しを行う。ハードディスクドライブ１０３は、受信サーバ１ａの二次記憶装置として使用される。ハードディスクドライブ１０３には、ＯＳのプログラム、アプリケーションプログラム、および各種データが格納される。なお、二次記憶装置としては、フラッシュメモリ等の半導体記憶装置を使用することもできる。
【００２９】
グラフィック処理装置１０４には、モニタ１０４ａが接続されている。グラフィック処理装置１０４は、ＣＰＵ１０１からの命令に従って、画像をモニタ１０４ａの画面に表示させる。モニタ１０４ａとしては、ＣＲＴ（Cathode Ray Tube）を用いた表示装置や、液晶表示装置等が挙げられる。
【００３０】
入力インタフェース１０５には、キーボード１０５ａとマウス１０５ｂとが接続されている。入力インタフェース１０５は、キーボード１０５ａやマウス１０５ｂから送られてくる信号をＣＰＵ１０１に送信する。なお、マウス１０５ｂは、ポインティングデバイスの一例であり、他のポインティングデバイスを使用することもできる。他のポインティングデバイスとしては、例えばタッチパネル、タブレット、タッチパッド、トラックボール等が挙げられる。
【００３１】
ドライブ装置１０６は、例えば、光の反射によって読み取り可能なようにデータが記録された光ディスクや、ＵＳＢ（Universal Serial Bus）メモリ等の持ち運び可能な記録媒体に記録されたデータの読み取りを行う。例えば、ドライブ装置１０６が光学ドライブ装置である場合、レーザ光等を利用して、光ディスク２００に記録されたデータの読み取りを行う。光ディスク２００には、Ｂｌｕ−ｒａｙ（登録商標）、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）等が挙げられる。
【００３２】
通信インタフェース１０７は、ネットワーク５０に接続されている。通信インタフェース１０７は、ネットワーク５０を介して、他のコンピュータまたは通信機器との間でデータを送受信する。
以上のようなハードウェア構成によって、本実施の形態の処理機能を実現することができる。
図５は、実施の形態のスマートデバイスのハードウェア構成を示す図である。
スマートデバイス２は、ＣＰＵ（Central Processing Unit）２０１によって装置全体が制御されている。
ＣＰＵ２０１には、バス２０９を介してＲＡＭ（Random Access Memory）２０２と複数の周辺機器が接続されている。
【００３３】
ＲＡＭ２０２は、携帯端末装置２の主記憶装置として使用される。ＲＡＭ２０２には、ＣＰＵ２０１に実行させるＯＳ（Operating System）のプログラムやアプリケーションプログラムの少なくとも一部が一時的に格納される。また、ＲＡＭ２０２には、ＣＰＵ２０１による処理に使用する各種データが格納される。
【００３４】
バス２０９には、内蔵メモリ２０３、グラフィック処理装置２０４、入力インタフェース２０５、読み取り装置２０６、通信インタフェース２０７およびＧＰＳモジュール２０８が接続されている。
【００３５】
内蔵メモリ２０３は、データの書き込みおよび読み出しを行う。内蔵メモリ２０３は、携帯端末装置２の二次記憶装置として使用される。内蔵メモリ２０３には、ＯＳのプログラム、アプリケーションプログラム、および各種データが格納される。なお、内蔵メモリとしては、例えばフラッシュメモリ等の半導体記憶装置が挙げられる。
【００３６】
グラフィック処理装置２０４には、ディスプレイ２０４ａが接続されている。グラフィック処理装置２０４は、ＣＰＵ２０１からの命令に従って、画像をディスプレイ２０４ａの画面に表示させる。ディスプレイ２０４ａとしては、液晶表示装置等が挙げられる。また、ディスプレイ２０４ａは、タッチパネル機能も備えている。
【００３７】
入力インタフェース２０５は、ディスプレイ２０４ａおよび入力ボタン２０５に接続されている。入力インタフェース２０５は、入力ボタン２０５ａやディスプレイ２０４ａのタッチパネルから送られてくる信号をＣＰＵ２０１に送信する。
【００３８】
読み取り装置２０６は、ＩＣタグ３ａ、３ｂの情報を読み取り、ＣＰＵ２０１に送る。読み取り装置２０６としては、例えば、ＮＦＣ（Near Field Communication）等の近距離無線通信機能を備えた装置が挙げられる。
【００３９】
通信インタフェース２０７は、ネットワーク５０に接続されている。通信インタフェース２０７は、ネットワーク５０を介して、他のコンピュータまたは通信機器との間でデータを送受信する。
ＧＰＳモジュール２０８は、ＧＰＳ衛星からの電波を受信し、当該スマートデバイス２の現在位置を計算する。
以上のようなハードウェア構成によって、本実施の形態の処理機能を実現することができる。
図５に示すようなハードウェア構成のスマートデバイス２内には、以下のような機能が設けられる。
図６は、実施の形態のスマートデバイスの機能を示すブロック図である。
スマートデバイス２は、読み取り装置２０６と、ＧＰＳモジュール２０８と、制御部２１と、データ処理部２２と、通信部２３と、通信部２４とを有している。
制御部２１は、スマートデバイス２全体を制御する。
図７は、データ処理部の機能を示すブロック図である。
【００４０】
データ処理部２２は、設定情報記憶部２２ａと、データ処理部２２ｂと、一時記憶部２２ｃと、データ作成部２２ｄと、作成データ記憶部２２ｅとを有している。
【００４１】
設定情報記憶部２２ａには、読み取り装置２０６が読み取るＩＣタグの種別を識別する情報と、サービス利用者のメールアドレスと、サービス利用者毎に設定されたメッセージが関連づけられて記憶されている。
図８は、設定情報記憶部に記憶されている情報を説明する図である。
【００４２】
本実施の形態では、情報がテーブル化されて記憶されている。図８に示す設定情報管理テーブルＴ２には、番号の欄とステータスの欄とメッセージの欄と、フラグの欄とが設けられている。横方向に並べられた情報同士が互いに関連づけられている。
ゲート番号の欄には、ステータスを識別する番号が設定される。
ステータスの欄には、サービス利用者および通知者に報知するステータスが設定される。
【００４３】
メッセージの欄には、ステータス毎に予め用意されたデフォルトメッセージ（定型文）が設定される。なお、ステータスが「非常用」の欄については、デフォルトメッセージが存在せず空欄になっている。
【００４４】
フラグの欄には、現在メッセージ送信対象となっているステータスを識別するフラグが設定される。図８に示す例では、フラグの欄が「１」のステータス「登園」が現在メッセージ送信対象となっていることを示している。このフラグは、スマートデバイス２を操作することにより、変更することができる。
図９は、アプリケーションの画面例を説明する図である。
【００４５】
保育士がスマートデバイス２を操作してアプリケーションを起動すると、図９（ａ）に示すように、制御部２１は、ホーム画面（ＩＣタグ読み取り画面）３０をディスプレイ２０４ａに表示する。ホーム画面３０には、ゲート番号が表示される。
【００４６】
保育士がホーム画面３０においてスワイプ動作を行うと、ステータス選択画面３１に遷移する。ステータス選択画面３１にて保育士がステータスを選択することにより、制御部２１は、設定情報管理テーブルＴ２のフラグの欄を書き換える。例えば、図９（ｂ）に示すように保育士が「外出」を選択すると、図９（ｃ）に示すように、ホーム画面３０には、ゲート番号「３」および「外出」のステータスが表示される。
【００４７】
また、図９（ｂ）に示すステータス選択画面３１にて保育士が「非常用」を選択した場合は、非常用モードに移行する。非常用モードにおいては、制御部２１は、非常用画面をディスプレイ２０４ａに表示する。非常用画面については、後述する。
再び図７に戻って説明する。
図示していないが、設定情報記憶部２２ａには、予め設定された現在読み取りを行うＩＣタグの種別が記憶されている。
【００４８】
データ処理部２２ｂおよびデータ作成部２２ｄは、定型文を含むデータを送信する通常モードと、任意入力メッセージを含むデータを送信する非常用モードにおいて、異なる処理を実行する。
＜通常モード＞
【００４９】
データ処理部２２ｂは、読み取り装置１０６からＩＣタグの読み取り情報が送られてくると、設定情報記憶部２２ａを参照し、読み取ったＩＣタグが、読み取り対象のＩＣタグか否かを判断する。読み取り対象のＩＣタグである場合、読み取ったタグＩＤを一時記憶部２２ｃに記憶する。
【００５０】
データ作成部２２ｄは、設定情報記憶部２２ａおよび記憶部２２ｃを参照する。そして、データ作成部２２ｄは、一時記憶部２２ｃに記憶されているタグＩＤに、設定情報管理テーブルＴ２のフラグが「１」になっているメッセージを関連づけた通知用データを作成し、作成データ記憶部２２ｅに記憶する。
【００５１】
例えば、図８に示すようにゲート番号が「１」の「登校」の状態でＩＣタグ３ａを読み込むと、データ処理部２２ｂは、設定情報記憶部２２ａを参照し、読み取り対象のＩＣタグか否かを判断する。ＩＣタグ３ａは、読み取り対象のＩＣタグであるのでデータ処理部２２ｂは、ＩＣタグ３ａのタグＩＤを一時記憶部２２ｃに記憶する。
【００５２】
データ作成部２２ｄは、設定情報管理テーブルＴ２を参照し、フラグの欄が「１」であるメッセージ「登園しました」を選択し、ＩＣタグ３ａのタグＩＤと関連づけた通知用データを作成し、作成データ記憶部２２ｅに記憶する。
＜非常用モード＞
【００５３】
データ作成部２２ｄは、保育士の任意入力メッセージ入力を受け付けると、設定情報記憶部２２ａおよび一時記憶部２２ｃを参照する。また、データ作成部２２ｄは、ＧＰＳモジュール２０８を参照し、スマートデバイス２の現在位置情報を取得する。
【００５４】
そして、データ作成部２２ｄは、一時記憶部２２ｃに記憶されているタグＩＤに、受け付けたメッセージと現在位置情報を付加した通知用データを作成し、作成データ記憶部２２ｅに記憶する。
なお、本実施の形態では、非常用モードのみに現在位置情報を付加するようにしたが、通常モードにおいても現在位置情報を付加するようにしてもよい。
再び図６に戻って説明する。
【００５５】
通信部２３は、受信サーバ１ａにアクセス要求を送信する。そして、通信部２３は、受信サーバ１ａからアクセス応答を受け取ると、作成データ記憶部２２ｅに記憶されている通知用データを受信サーバ１ａに送信する。
通信部２４は、受信サーバ１ａからの戻り値を受信すると、モニタ２０４ａに処理完了通知を表示させる。
以下、非常用モードについて、具体例を用いて説明する。
図１０は、非常用画面を説明する図である。
非常用画面３２には、メッセージ入力部３２ａが設けられている。
【００５６】
保育士は、スマートデバイス２の入力インタフェースを用いてメッセージ入力部３２ａに任意入力メッセージを入力することができる。図１０に示す例では、保育士が、「保育園側で保護しています。無事です。現在××公園です。田中」の任意入力メッセージが図示されている。保育士が任意入力メッセージを入力した後に、ＯＫボタン３２ｂを選択すると、制御部２１は、設定情報管理テーブルＴ２の現在選択されているステータスのゲート番号のフラグの欄を「０」に書き換え、ゲート番号「９」のフラグの欄を「１」に書き換える。また、制御部２１は、メッセージ入力部３２ａに入力されたメッセージを、ゲート番号「９」のメッセージの欄に設定する。
ところで、保育士がＯＫボタン３２ｂを選択すると、ホーム画面３０に遷移する。
【００５７】
図１０（ｂ）に示すように、ホーム画面３０には、ゲート番号「９」および「非常用」のステータスが表示される。この「非常用」のステータスを表示する文字の大きさは、他のステータスを表示する文字の大きさより大きくなっている。また、ホーム画面３０には、保育士がメッセージ入力部３２ａに入力したメッセージが表示される。
【００５８】
この状態で、保育士がＩＣタグ３ａを読み取ると、データ作成部２２ｄは、設定情報管理テーブルＴ２を参照し、フラグの欄が「１」であるゲート番号「９」のメッセージを選択し、ＩＣタグ３ａの情報およびスマートデバイス２の現在位置情報と関連づけて通知用データを作成し、作成データ記憶部２２ｅに記憶する。
【００５９】
通知用データを受信したデータセンタ１側では前述した処理を行う。すなわち、メールサーバ１ｄは、データ処理サーバ１ｃが特定した宛先にメッセージを含むＥメールを送信する。
【００６０】
ところで、図１０（ｂ）に示す非常用画面３２において保育士が「確認メールを送る」のチェックボックス３２ｃにチェックを入れると、データ作成部２２ｄは、ＩＣタグ３ａの情報とメッセージに、さらに保育士のメールアドレスを関連づけた通知用データを作成し、作成データ記憶部２２ｅに記憶する。メールサーバ１ｄは、メールを送信する際に、保育士のメールアドレスも宛先、ＣＣまたはＢＣＣに入れて送信する。これにより、保育士は、非常用のメッセージがメールサーバ１ｄにより送信されたことを把握することができる。
【００６１】
保育士は、状況が変わる度に非常用画面３２にメッセージを入力し直すことで、最新の状況が、サービス利用者およびチェックボックス３２ｃにチェックをいれた保育士に届く。
【００６２】
以上述べたように、通信システム１００によれば、ＩＣタグ３ａ、３ｂと、予め設定されるメールアドレスとを関連づけて記憶するデータサーバ１ｂと、スマートデバイス２にて非常用モードにおいて入力されるメッセージおよびスマートデバイス２の位置情報が記憶され、スマートデバイス２が読み取ったＩＣタグ３ａ、３ｂにメッセージおよび位置情報が関連づけられたデータの入力を受け付ける受信サーバ１ｂと、データサーバ１ｂを参照し、受け付けたデータに関連づけられたＩＣタグ３ａ、３ｂに一致するＩＣタグ３ａ、３ｂに関連づけられたメールアドレス宛に、メッセージおよび位置情報を送信するメールサーバ１ｄとを備える。従って、例えばＡＣ電源に接続された読み取り装置の場合、電源を喪失したときには処理ができなくなる。実施の形態のスマートデバイス２に読み取り機能を持たせることで、スマートデバイス２の電池が持つ限り、サービス利用者に情報を送り続けることができる。また、ＩＣタグの読み取り機能があるスマートデバイスであれば、読み取り装置として適用できるため、導入コストが低い。
【００６３】
また、スマートデバイス２側をＩＣタグ３側に近づけて接触させることができるため、能動的な動作が困難な対象（幼児や要介護者、物品等）も適用することができる。
【００６４】
また、スマートデバイス２側には、保護者の氏名やメールアドレス等の個人情報を記憶せず、データセンタ１側で個人情報を管理する構成である。従って、保育士のスマートデバイス２が起動できなくなっても、アプリケーションをインストールした代替機器を入手可能である。すなわち、物理的な故障等が発生しても代替機器でリレーして継続してシステムを運用できる。
【００６５】
また、各園児のＩＣタグ３を読み終わった段階で、装置が園児毎のステータスを集計することが可能となる。人間の集計作業を不要とすることで、集計ミス等、人的なエラーを抑制することができる。
なお、保育士自身もＩＣタグを有していてもよい。施設内の管理者（例えば園長）は保育士の状況報告メールの受信者（送信先）になっている場合もある。
また、役職などにより利用者権限を設定付与し、最高位の権限保有者はＷｅｂサイト上から手動でデータの書き換え（新規データの手動生成）を可能とする
＜第２の実施の形態＞
次に、第２の実施の形態の通信システムについて説明する。
以下、第２の実施の形態の通信システムについて、前述した第１の実施の形態との相違点を中心に説明し、同様の事項については、その説明を省略する。
図１１は、第２の実施の形態の通信システムを示す図である。
図１１に示す第２の実施の形態の通信システム１００ａは、通信先を切り換える機能を備えている。
【００６６】
具体的には、通信システム１００ａは、受信サーバ（セカンダリサーバ）５ａを有している。受信サーバ５ａは、データセンタ１とは異なる箇所に設置されるデータセンタ５に設置されている。図示していないが、データセンタ５にもデータサーバ１ｂ、データ処理サーバ１ｃ、メールサーバ１ｄ、およびＷｅｂサーバ１ｅと同等の機能を備えるサーバが設置されている。
【００６７】
通信部２３が受信サーバ１ａに通知用データを送信した後、所定時間経過しても通信部２４が受信サーバ１ａからの戻り値を受信しなかった場合、通信部２３は、受信サーバ５ａに通知用データを送信する。
通信部２４は、受信サーバ５ａからの戻り値を受信すると、モニタ２０４ａに処理完了通知を表示させる。
第２の実施の形態の通信システム１００ａによれば、第１の実施の形態の通信システム１００と同様の効果が得られる。
そして、第２の実施の形態の通信システム１００ａによれば、さらに、通信処理の安定性、信頼性を確保できる。
＜応用例＞
【００６８】
実施の形態の通信システムは、前述した保育園での使用以外にも、屋外や不特定地での人員管理や、流通の配送通知や、学生の登下校時の見守り、巡回業務の管理、ツアーバス等で移動時の停車各地での乗客管理等に適用することができる。
例えば、建設業務では、勤務現地での勤怠管理に用いることができる。
【００６９】
また、人員管理では、特別な設備を用意しなくても入退場を管理することができる。また、会場が複数存在する場合に、会場に応じてスマートデバイス２を複数台用意することにより、会場単位で入場者数の把握や、参加者が移動した動線解析用のデータも取得することができる。
【００７０】
また、商品配送では、例え宅配ロッカーがある納品先の搬入口などにＩＣタグを配置しておけば、納品先が不在で、宅配ロッカーに荷物を入れた場合も配送員がスマートデバイスをＩＣタグにかざせば、納品先の納品管理者が保持する携帯端末装置に配送完了の知らせが届く。また、社内にいる配送責任者の携帯端末装置にも配送状況が届くようにすることもできる。配送員がスマートデバイスをＩＣタグにかざすだけで、納品先の携帯端末装置と、配送責任者の携帯端末装置にはそれぞれ異なるメッセージを届けるようにすることもできる。例えば、納品先の納品管理者の携帯端末装置には、「○○様からのお荷物を配送完了しました。」というメッセージが届き、配送責任者の携帯端末装置には、「○○様からのお荷物を××様にお届けしました」というメッセージが届くようにすることができる。
【００７１】
また、ツアーバス等で乗客管理では、予め乗客にＩＣタグを配布しておき、乗車時および降車時に添乗員のスマートデバイスにかざしてもらうことで、添乗員や、予め送信登録した家族等に乗客の最新の乗車状況を送信することができる。個別メール等をしなくても帰宅時間や迎えに行く時間を予想することができる。
【００７２】
なお、スマートデバイス２の処理の一部をデータセンタ１側で行っても良いし、データセンタ１側の処理の一部をスマートデバイス２側で行ってもよい。例えば、実施の形態では、メッセージをスマートデバイス側が記憶するようにしたが、データセンタ１側でメッセージを記憶するようにしてもよい。
【００７３】
以上、本発明のデータ送受信装置、データ送受信方法およびプログラムを、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
また、本発明は、前述した各実施の形態のうちの、任意の２以上の構成（特徴）を組み合わせたものであってもよい。
【００７４】
なお、上記の処理機能は、コンピュータによって実現することができる。その場合、データセンタ１の各サーバが有する機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等が挙げられる。磁気記憶装置には、ハードディスクドライブ、フレキシブルディスク（ＦＤ）、磁気テープ等が挙げられる。光ディスクには、ＤＶＤ、ＤＶＤ−ＲＡＭ、ＣＤ−ＲＯＭ／ＲＷ等が挙げられる。光磁気記録媒体には、ＭＯ（Magneto-Optical disk）等が挙げられる。
【００７５】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【００７６】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送される毎に、逐次、受け取ったプログラムに従った処理を実行することもできる。
【００７７】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【符号の説明】
【００７８】
１、５  データセンタ
１ａ  受信サーバ
１ｂ  データサーバ
１ｃ  データ処理サーバ
１ｄ  メールサーバ
１ｅ  Ｗｅｂサーバ
２  スマートデバイス
２１  制御部
２２  データ処理部
２３、２４  通信部
３ａ、３ｂ  ＩＣタグ
４ａ、４ｂ、４ｃ  携帯端末装置
３０  ホーム画面
３１  ステータス選択画面
３２  非常用画面
３２ａ  メッセージ入力部
２０６  読み取り装置
２０８  ＧＰＳモジュール
Ｔ１  データ管理テーブル
Ｔ２  設定情報管理テーブル
【図１】
2019101729.tif 000003
【図２】
2019101729.tif 000004
【図３】
2019101729.tif 000005
【図４】
2019101729.tif 000006
【図５】
2019101729.tif 000007
【図６】
2019101729.tif 000008
【図７】
2019101729.tif 000009
【図８】
2019101729.tif 000010
【図９】
2019101729.tif 000011
【図１０】
2019101729.tif 000012
【図１１】
2019101729.tif 000013
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
ＩＣタグと、予め設定される連絡先情報とを関連づけて記憶する記憶部と、
携帯端末装置にて入力されるメッセージおよび前記携帯端末装置の位置情報が記憶され、前記携帯端末装置が読み取ったＩＣタグに前記メッセージおよび位置情報が関連づけられたデータの入力を受け付ける受付部と、
前記記憶部を参照し、受け付けた前記データに関連づけられたＩＣタグに一致するＩＣタグに関連づけられた連絡先情報宛に、前記メッセージを送信する送信部と、
を有することを特徴とするデータ送受信装置。
【請求項２】
前記携帯端末装置は、前記ＩＣタグ保持者のステータスと、前記ステータスに応じて予め用意された定型文とが関連づけられて記憶されており、前記定型文を含むデータを送信する第１のモードと、前記メッセージを含むデータを送信する第２のモードを備える請求項１または２に記載のデータ送受信装置。
【請求項３】
前記第２のモードにおいて、現在のモードと前記メッセージとが前記携帯端末装置のＩＣタグの読み取り画面に表示される請求項２に記載のデータ送受信装置。
【請求項４】
前記第２のモードにおいて、前記データの送信に応じて前記連絡先情報とは別個に前記第２のモード用に設定された連絡先情報宛に前記メッセージを送信する請求項２または３に記載の送受信装置。
【請求項５】
ＩＣタグと、予め設定される連絡先情報とを関連づけて記憶する記憶部を備えるコンピュータが、
携帯端末装置にて入力されるメッセージおよび前記携帯端末装置の位置情報が記憶され、前記携帯端末装置が読み取ったＩＣタグに前記メッセージおよび位置情報が関連づけられたデータの入力を受け付け、
前記記憶部を参照し、受け付けた前記データに関連づけられたＩＣタグに一致するＩＣタグに関連づけられた連絡先情報宛に、前記メッセージを送信する、
ことを特徴とするデータ送受信方法。
【請求項６】
ＩＣタグと、予め設定される連絡先情報とを関連づけて記憶する記憶部を備えるコンピュータに、
携帯端末装置にて入力されるメッセージおよび前記携帯端末装置の位置情報が記憶され、前記携帯端末装置が読み取ったＩＣタグに前記メッセージおよび位置情報が関連づけられたデータの入力を受け付け、
前記記憶部を参照し、受け付けた前記データに関連づけられたＩＣタグに一致するＩＣタグに関連づけられた連絡先情報宛に、前記メッセージを送信する、
処理を実行させることを特徴とするプログラム。
【請求項７】
ＩＣタグと、予め設定される連絡先情報とを関連づけて記憶する記憶部と、コンピュータにて入力されるメッセージおよび前記携帯端末装置の位置情報が記憶され、前記携帯端末装置が読み取ったＩＣタグに前記メッセージおよび位置情報が関連づけられたデータの入力を受け付ける受付部と、前記記憶部を参照し、受け付けた前記データに関連づけられたＩＣタグに一致するＩＣタグに関連づけられた連絡先情報宛に、前記メッセージを送信する送信部と、を有するデータ送受信装置にデータを送信するに際し、
前記コンピュータに、
予め設定された情報に基づき、読み取り対象のＩＣタグを記憶する第１の記憶部と、任意に入力されるメッセージおよび当該携帯端末装置の位置情報を記憶する第２の記憶部を参照し、読み取り対象のＩＣタグに前記メッセージおよび前記位置情報を付加した通知用データを前記データ送受信装置に送信する、
処理を実行させることを特徴とするプログラム。